(57)【要約】【課題】アレイ状プリントヘッドにおける濃度ムラを効率よく低減させる。【解決手段】各プリントヘッド３０が同一箇所に記録を行ったグレイ色の補正用画像を出力する（ステップＳ１）。補正用画像の濃度測定場所のスキャンを行い、各位置における各基本色ＲＧＢに対応した濃度データを出力する（ステップＳ２）。次に、スキャンした画像の傾きを判定する（ステップＳ３）。そして、各プリントヘッド３０の各記録素子に対応する濃度データを特定する（ステップＳ４）。プリントヘッド３０の記録素子ｉに対応する濃度データをＤｉの記録素子の配列方向の平均値Ｄ０を算出し（ステップＳ５）、平均値Ｄ０と、記録素子ｉの濃度データＤｉを比較して（ステップＳ６）、記録素子ｉの補正量Ｃｉ＝Ｄ０／Ｄｉを算出する（ステップＳ７）。【選択図】  図６
2004299109.tif 000002
【特許請求の範囲】
【請求項１】
複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、
前記補正用画像は、前記感光材料の同一箇所に前記複数のプリントヘッドにより記録された画像であることを特徴とする画像形成方法。
【請求項２】
複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、
前記補正用画像は、イエロー色素、マゼンタ色素、シアン色素のうち少なくとも２以上の色素が混色した画像であることを特徴とする画像形成方法。
【請求項３】
複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、
前記補正用画像は、Ｒ濃度が０．３以上１．５以下、Ｇ濃度が０．２以上１．５以下又はＢ濃度が０．１５以上１．５以下の範囲であることを特徴とする画像形成方法。
【請求項４】
前記補正用画像の読取情報を取得した後、色変換を行い、各記録素子の記録特性の補正量を求めることを特徴とする請求項１〜３のいずれか一項に記載の画像形成方法。
【請求項５】
前記取得された読取情報が積分濃度の場合、
前記色変換は、前記積分濃度に基づいて解析濃度を算出することを特徴とする請求項４に記載の画像形成方法。
【請求項６】
前記色変換は、１次変換式を用いることを特徴とする請求項４又は５に記載の画像形成方法。
【請求項７】
カラーバランスのセットアップが完了した後に、前記補正用画像を記録することを特徴とする請求項１〜６のいずれか一項に記載の画像形成方法。
【請求項８】
前記補正用画像の読取情報を取得する部分は、前記複数のプリントヘッドで感光材料に記録された像が重なっている状態で構成されていることを特徴とする請求項１〜７のいずれか一項に記載の画像形成方法。
【請求項９】
前記補正用画像を、押圧部材を用いて前記画像読取装置に固定することを特徴とする請求項１〜８のいずれか一項に記載の画像形成方法。
【請求項１０】
前記補正用画像は、記録されるライン数が５０以上１０００以下の範囲であることを特徴とする請求項１〜９のいずれか一項に記載の画像形成方法。
【請求項１１】
前記補正用画像に記録されたライン数の１０％以上を前記読取情報の取得に用いることを特徴とする請求項１０に記載の画像形成方法。
【請求項１２】
前記感光材料は、ハロゲン化銀感光材料であることを特徴とする請求項１〜１１のいずれか一項に記載の画像形成方法。
【請求項１３】
前記感光材料は、反射支持体を有することを特徴とする請求項１〜１２のいずれか一項に記載の画像形成方法。
【請求項１４】
前記補正用画像の濃度は、前記感光材料の特性曲線の直線部分に設定されていることを特徴とする請求項１〜１３のいずれか一項に記載の画像形成方法。
【請求項１５】
前記補正用画像は、対応する記録素子を決定させるための位置決定用マーカーを有し、
前記位置決定用マーカーを用いて前記対応する記録素子を決定することを特徴とする請求項１〜１４のいずれか一項に記載の画像形成方法。
【請求項１６】
感光材料に補正用画像を記録可能な複数の記録素子をアレイ状に配列した複数のプリントヘッドと、
前記補正用画像の読取情報を取得する画像読取装置と、
前記取得された読取情報に基づいて各記録素子の記録特性の補正量を求める補正処理部と、を備える画像形成装置において、
前記複数のプリントヘッドに、前記感光材料の同一箇所に対して補正用画像を記録させるよう制御する制御部を備えたことを特徴とする画像形成装置。
【請求項１７】
感光材料に補正用画像を記録可能な複数の記録素子をアレイ状に配列した複数のプリントヘッドと、
前記補正用画像の読取情報を取得する画像読取装置と、
前記取得された読取情報に基づいて各記録素子の記録特性の補正量を求める補正処理部と、を備える画像形成装置において、
前記複数のプリントヘッドに、イエロー色素、マゼンタ色素、シアン色素のうち少なくとも２以上の色素が混色した補正用画像を記録させるよう制御する制御部を備えたことを特徴とする画像形成装置。
【請求項１８】
感光材料に補正用画像を記録可能な複数の記録素子をアレイ状に配列した複数のプリントヘッドと、
前記補正用画像の読取情報を取得する画像読取装置と、
前記取得された読取情報に基づいて各記録素子の記録特性の補正量を求める補正処理部と、を備える画像形成装置において、
前記複数のプリントヘッドに、Ｒ濃度が０．３以上１．５以下、Ｇ濃度が０．２以上１．５以下又はＢ濃度が０．１５以上１．５以下の範囲になるように補正用画像を記録させるよう制御する制御部を備えたことを特徴とする画像形成装置。
【請求項１９】
前記補正用画像の読取情報を取得した後、色変換を行い、各記録素子の記録特性の補正量を求めることを特徴とする請求項１６〜１８のいずれか一項に記載の画像形成装置。
【請求項２０】
前記取得された読取情報が積分濃度の場合、
前記色変換は、前記積分濃度に基づいて解析濃度を算出することを特徴とする請求項１９に記載の画像形成装置。
【請求項２１】
前記色変換は、１次変換式を用いることを特徴とする請求項１９又は２０に記載の画像形成装置。
【請求項２２】
カラーバランスのセットアップが完了した後に、前記補正用画像を記録することを特徴とする請求項１６〜２１のいずれか一項に記載の画像形成装置。
【請求項２３】
前記補正用画像の読取情報を取得する部分は、前記複数のプリントヘッドで感光材料に記録された像が重なっている状態で構成されていることを特徴とする請求項１６〜２２のいずれか一項に記載の画像形成装置。
【請求項２４】
前記補正用画像を、押圧部材を用いて前記画像読取装置に固定することを特徴とする請求項１６〜２３のいずれか一項に記載の画像形成装置。
【請求項２５】
前記補正用画像は、記録されるライン数が５０以上１０００以下の範囲であることを特徴とする請求項１６〜２４のいずれか一項に記載の画像形成装置。
【請求項２６】
前記補正用画像に記録されたライン数の１０％以上を前記読取情報の取得に用いることを特徴とする請求項２５に記載の画像形成装置。
【請求項２７】
前記感光材料は、ハロゲン化銀感光材料であることを特徴とする請求項１６〜２６のいずれか一項に記載の画像形成装置。
【請求項２８】
前記感光材料は、反射支持体を有することを特徴とする請求項１６〜２７のいずれか一項に記載の画像形成装置。
【請求項２９】
前記補正用画像の濃度は、前記感光材料の特性曲線の直線部分に設定されていることを特徴とする請求項１６〜２８のいずれか一項に記載の画像形成装置。
【請求項３０】
前記補正用画像は、対応する記録素子を決定させるための位置決定用マーカーを有し、
前記位置決定用マーカーを用いて前記対応する記録素子を決定することを特徴とする請求項１６〜２９のいずれか一項に記載の画像形成装置。
【発明の詳細な説明】
【０００１】
【発明の属する技術分野】
本発明は、複数の記録素子をアレイ状に配列したアレイ状プリントヘッドの各記録素子の記録特性のバラツキを補正して画像を記録する画像形成方法及び画像形成装置に関する。
【０００２】
【従来の技術】
昨今、デジタルカメラの普及により、デジタル出力装置としてデジタルミニラボ機のプリント能力、画質等の性能向上が大きく望まれている。特に大判のプリントの要望が高く、これに適している複数の記録素子をアレイ状に配列したプリントヘッドを用いた露光エンジンの開発が進んでいる。
【０００３】
一般的に、アレイ状プリントヘッドを構成する発光記録素子は、個々の発光特性に２０％から４０％程度のバラツキを有している。このバラツキの補正が不十分な場合、バラツキが画像の濃淡のムラとしてプリント作成時にそのまま記録されてしまう。写真等を連続階調で再現する場合、バラツキを最低でも２％以下、より高品質を求めるためには１％以下に補正する必要がある。
【０００４】
この補正に関する技術として、記録素子の複数個を駆動した状態で、記録素子毎の光量データを求め、該光量データに基づいて各記録素子の露光量の補正量を求める方法が提案されている（例えば、特許文献１参照。）。また、各記録素子の位置を特定するために、記録素子の配列方向に少なくとも１記録素子以上間をあけて記録された画像の濃度を測定して、各記録素子の記録特性の補正量を求める方法も提案されている（例えば、特許文献２参照。）。
【０００５】
【特許文献１】
特開平８−２３０２３５号公報
【特許文献２】
特開平１０−８１１号公報
【０００６】
【発明が解決しようとする課題】
しかしながら、上記従来の補正方法は、ＲＧＢ（Ｒｅｄ・Ｇｒｅｅｎ・Ｂｌｕｅ）単色で出力した画像に基づいて、プリントヘッド毎に別々に補正を行うものであった。これらの方法では、各色単独の濃度ムラは低減可能であるが、ＲＧＢの３色が重なって構成される画像、例えばグレイ色のベタ状のチャートでは、濃度ムラが完全に解消されるわけではなく、特に、低周波成分の濃度ムラが目立っていた。
【０００７】
ベタ状とは、画像を形成する部分の全ての記録素子が記録を行っている画像をいい、記録素子の露光量を調整することによって、さまざまな濃度のベタ状画像を実現することができる。また、画像において、低周波成分は、例えば、頬のように信号強度の変化の緩やかな構造を示す成分であり、高周波成分は、例えば、髪の毛やまつ毛のような微細な構造を表現する成分である。低周波成分の濃度ムラとは、比較的広い範囲でなだらかに変化する濃度ムラを指す。
【０００８】
実際に出力される画像は、単色で構成される部分は少なく、通常、グレイ等、ＲＧＢの３色で構成されているため、上記の補正では不十分であった。
【０００９】
また、一般的に、補正用の画像を読み込む際には、フラットベッドスキャナ等の画像読取装置を用いてスキャンが行われる。画像読取装置の光源の形態と画像のセット位置、方向の組み合わせが好ましくない場合、ペーパーのエッジ部分では、光の照射状態が他の部分と異なり、迷光が生じ、フレアーや陰が発生して、エッジ部の画像を安定して読み取ることができない場合がある。従来の補正方法のように、ＲＧＢ単色で別々に補正を行う場合には、各色によってエッジ部の判定が異なる場合があり、エッジ部の画像に乱れが生じるという不具合があった。
【００１０】
さらに、従来の補正方法では、ＲＧＢ単色で別々に補正を行うことから、補正用の画像が大きく、画像の枚数が多いため、ロスペーパーが多く、また、補正に要する時間も長かった。
【００１１】
本発明は、上記の従来技術における問題に鑑みてなされたものであって、効率よく濃度ムラを低減させることが可能な画像形成方法及び画像形成装置を提供することを課題とする。
【００１２】
【課題を解決するための手段】
上記の課題を解決するための請求項１に記載の発明は、複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、前記補正用画像は、前記感光材料の同一箇所に前記複数のプリントヘッドにより記録された画像であることを特徴とする画像形成方法である。
【００１３】
ここで、複数のプリントヘッドとは、異なる色のプリントヘッドが複数存在してもよく、同一色のプリントヘッドが複数存在してもよい。また、ＲＧＢの各基本色のプリントヘッドが存在することとしてもよい。
【００１４】
また、本発明における読取情報とは、任意の濃度測定手段、画像読取装置により読み込まれた光学的濃度を示す情報、又は光学的濃度に基づいて算出された数値的な情報のことを意味し、光学的濃度自体でもよいが、反射率、透過率、光吸収率等でもよいし、これらと一対一に対応する関数値、例えば対数値等であってもよく、これらの平均値等の統計量であってもよい。また、フラットベッドスキャナ等の画像読取装置で画像の読み込みを行った場合、画像読取装置により測定された信号値であってもよく、この信号値と一対一に対応する関数値、例えば対数値等であってもよく、これらの相対値であってもよい。
【００１５】
また、補正量とは、アレイ状プリントヘッドの各記録素子が均一な露光量で感光材料に記録を行えるように各記録素子の露光量を調整するための係数をいう。
【００１６】
請求項１に記載の発明によれば、補正用画像から読み取った各基本色の読取情報に他色の濃度ムラの影響が含まれているため、効率よく濃度ムラ、特に低周波成分の濃度ムラを低減させることができる。
【００１７】
また、各基本色が同時にエッジ部を形成するため、安定したエッジの判定を実現することができる。各基本色について別々の画像を用いて補正を行う場合、色によってエッジの位置判定が異なることが懸念されるが、３色同時に補正を行うことにより、誤判定の可能性が低下する。
【００１８】
さらに、基本色毎に補正用の画像を作成する場合と比較して、補正用画像の小型化が可能となり、補正を行う際に、読み込みを行う範囲を比較的小さくすることができるため、補正計算時間を短縮することができる。また、ロスペーパーを低減させ、生産性を向上させることができる。
【００１９】
なお、画像読取装置を用いて補正用画像の読取情報を取得する際には、アレイ状プリントヘッドを用いて感光材料に記録を行う解像度よりも高解像度で補正用画像の読み込みを行うことが好ましい。また、画像読取装置はライン状のＣＣＤを有し、ライン状のＣＣＤが走査することにより画像を読み込む装置が好ましく、フラットベッドスキャナ、ドラムスキャナ等、各種スキャナが挙げられる。
【００２０】
請求項２に記載の発明は、複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、前記補正用画像は、イエロー色素、マゼンタ色素、シアン色素のうち少なくとも２以上の色素が混色した画像であることを特徴とする画像形成方法である。
【００２１】
請求項２に記載の発明によれば、補正用画像から読み取った各基本色の読取情報に他色の濃度ムラの影響が含まれているため、効率よく濃度ムラ、特に低周波成分の濃度ムラを低減させることができる。
【００２２】
また、各基本色が同時にエッジ部を形成するため、誤判定の可能性が低下し、安定したエッジの判定を実現することができる。
【００２３】
さらに、基本色毎に補正用の画像を作成する場合と比較して、補正用画像の小型化が可能となり、補正を行う際に、読み込みを行う範囲を比較的小さくすることができるため、補正計算時間を短縮することができる。また、ロスペーパーを低減させ、生産性を向上させることができる。
【００２４】
請求項３に記載の発明は、複数の記録素子をアレイ状に配列した複数のプリントヘッドを用いて感光材料に補正用画像を記録し、画像読取装置を用いて前記補正用画像の読取情報を取得することにより、各記録素子の記録特性の補正量を求め、当該補正量を用いて画像を記録する画像形成方法において、前記補正用画像は、Ｒ濃度が０．３以上１．５以下、Ｇ濃度が０．２以上１．５以下又はＢ濃度が０．１５以上１．５以下の範囲であることを特徴とする画像形成方法である。
【００２５】
ここで、Ｒ濃度、Ｇ濃度、Ｂ濃度とは、それぞれ画像の赤色（Ｒｅｄ）成分の濃度、緑色（Ｇｒｅｅｎ）成分の濃度、青色（Ｂｌｕｅ）成分の濃度をいう。
【００２６】
請求項３に記載の発明によれば、他色に対して極端に高濃度とならないため、感光材料の発色色素が形成する副吸収の影響を低減させることができる。また、色にごり等の影響を排除することができるため、取得する読取情報がより正確になり、高精度の補正を行うことができる。
【００２７】
なお、補正用画像の濃度範囲は、Ｒ濃度で０．３以上１．５以下が好ましく、０．４以上１．０以下がより好ましく、０．５以上０．７以下が最も好ましい。また、Ｇ濃度で０．２以上１．５以下が好ましく、０．３以上０．８以下がより好ましく、０．４以上０．６以下が最も好ましい。また、Ｂ濃度で０．１５以上１．５以下が好ましく、０．３以上１．０以下がより好ましく、０．４以上０．６以下が最も好ましい。
【００２８】
請求項４に記載の発明は、前記補正用画像の読取情報を取得した後、色変換を行い、各記録素子の記録特性の補正量を求めることを特徴とする請求項１〜３のいずれか一項に記載の画像形成方法である。
【００２９】
請求項５に記載の発明は、前記取得された読取情報が積分濃度の場合、前記色変換は、前記積分濃度に基づいて解析濃度を算出することを特徴とする請求項４に記載の画像形成方法である。
【００３０】
感光材料は通常、色素で画像を形成しているが、それぞれの色素の吸収曲線が重なっていることや、副吸収帯の存在等により、他色の成分を少なからず含んでいる。主成分色の濃度ムラが良好であっても、他色の濃度ムラが非常に劣悪な場合、他色のプリントヘッドにフィードバックを行うべき補正を、主成分のプリントヘッドに対して行ってしまう場合がある。このため、補正をかけるに従い濃度ムラが発生し、濃度ムラがない状態へ収束するまでの補正回数が増加する可能性がある。
【００３１】
しかし、請求項４、５に記載の発明によれば、色変換を行うことで、他色の濃度ムラが劣悪な場合においても、他色の濃度ムラの影響を排除することができ、正確で高精度な補正を実現することができる。また、濃度ムラが発生した場合でも、少ない補正回数で濃度ムラのない状態に回復させることが可能となる。
【００３２】
ここで、色変換とは、ＲＧＢの３色が混色している状態で取得された読取情報に基づいて、ＲＧＢの各成分を抽出する操作のことをいう。
色変換はどのような方法でも構わないが、色変換を行うにあたり、変換前の読取濃度、すなわち積分濃度をＲｏｒｇ，Ｇｏｒｇ，Ｂｏｒｇとし、変換後の濃度、すなわち解析濃度をＲ’，Ｇ’，Ｂ’として、下記の変換式を用いることが好ましい。
Ｒ’＝  ａｒ・（Ｒｏｒｇ）ｂｒ  ＋  ｃｒ・（Ｇｏｒｇ）ｄｒ  ＋  ｅｒ・（Ｂｏｒｇ）ｆｒ  ＋  ｇｒ
Ｇ’＝  ａｇ・（Ｒｏｒｇ）ｂｇ  ＋  ｃｇ・（Ｇｏｒｇ）ｄｇ  ＋  ｅｇ・（Ｂｏｒｇ）ｆｇ  ＋  ｇｇ            （１）
Ｂ’＝  ａｂ・（Ｒｏｒｇ）ｂｂ  ＋  ｃｂ・（Ｇｏｒｇ）ｄｂ  ＋  ｅｂ・（Ｂｏｒｇ）ｆｂ  ＋  ｇｂ
ただし、ａｒ，ｂｒ，・・・，ｇｂは定数である。感光材料の記録条件や現像処理条件、画像読取装置の諸条件等に対応して、これらの定数が変更可能であることが好ましい。
【００３３】
請求項６に記載の発明は、前記色変換は、１次変換式を用いることを特徴とする請求項４又は５に記載の画像形成方法である。
【００３４】
請求項６に記載の発明によれば、比較的簡単な方法により、他色の濃度ムラの影響を排除することができ、短時間で高精度な補正を実現することができる。
【００３５】
１次変換式とは、前記変換式（１）において、定数ｂｒ，ｄｒ，ｆｒ，ｂｇ，ｄｇ，ｆｇ，ｂｂ，ｄｂ，ｆｂが１である式をいう。また、下記式（２）のように、定数項ｇｒ，ｇｇ，ｇｂが０であることが好ましい。
Ｒ’＝  ａｒ・Ｒｏｒｇ  ＋  ｃｒ・Ｇｏｒｇ  ＋  ｅｒ・Ｂｏｒｇ
Ｇ’＝  ａｇ・Ｒｏｒｇ  ＋  ｃｇ・Ｇｏｒｇ  ＋  ｅｇ・Ｂｏｒｇ            （２）
Ｂ’＝  ａｂ・Ｒｏｒｇ  ＋  ｃｂ・Ｇｏｒｇ  ＋  ｅｂ・Ｂｏｒｇ
変換式を簡単な形にしても、定数ａｒ，ｃｒ，・・・，ｅｂの調整を行うことにより、計算時間の短縮化と正確で高精度な補正を同時に実現することができる。
【００３６】
請求項７に記載の発明は、カラーバランスのセットアップが完了した後に、前記補正用画像を記録することを特徴とする請求項１〜６のいずれか一項に記載の画像形成方法である。
【００３７】
ここで、カラーバランスのセットアップとは、各基本色の画像データに対して所望の濃度になるように、各プリントヘッドの記録量、若しくは露光量の平均値を調整する等して、各プリントヘッド間のカラーバランスを調整することをいい、基本色毎に調整できることが好ましい。
【００３８】
請求項７に記載の発明によれば、各基本色のカラーバランスが合い、極端に他色の影響を受けないため、補正精度がさらに向上する。
【００３９】
請求項８に記載の発明は、前記補正用画像の読取情報を取得する部分は、前記複数のプリントヘッドで感光材料に記録された像が重なっている状態で構成されていることを特徴とする請求項１〜７のいずれか一項に記載の画像形成方法である。
【００４０】
ここで、像が重なっている状態とは、異なるプリントヘッドにより形成される１ドット毎の発色領域同士が重なっている状態をいう。図１４に、複数のプリントヘッドで感光材料に記録された像が重なっている状態の例を示す。プリントヘッドＦ（図示せず）によって６００ｄｐｉで形成された発色領域ｆ１，ｆ２，ｆ３，ｆ４，・・・と、プリントヘッドＧ（図示せず）によって３００ｄｐｉで形成された発色領域ｇ１，ｇ２，・・・が重なっている状態を示している。
【００４１】
請求項８に記載の発明によれば、各プリントヘッドが感光材料に記録した像構造の差がもたらす読取情報のバラツキを低減させることができるため、補正の精度が向上する。
【００４２】
請求項９に記載の発明は、前記補正用画像を、押圧部材を用いて前記画像読取装置に固定することを特徴とする請求項１〜８のいずれか一項に記載の画像形成方法である。
【００４３】
ここで、押圧部材とは、補正用画像を押さえるための部材をいう。この押圧部材は、例えば、黒等のほぼ均一の濃度であることが好ましい。また、押圧部材は、例えば、ゴムやスポンジ等の容易に曲げられるような柔らかい材質であることが好ましい。また、帯電性が低く、ほこりが付着しにくい材質であることが好ましい。
【００４４】
請求項９に記載の発明によれば、画像のエッジの判定を正確に行うことができるようになり、補正の精度が向上する。また、補正用画像の浮きを抑えることにより、低周波成分の濃度ムラを低減させることができる。
【００４５】
請求項１０に記載の発明は、前記補正用画像は、記録されるライン数が５０以上１０００以下の範囲であることを特徴とする請求項１〜９のいずれか一項に記載の画像形成方法である。
【００４６】
請求項１０に記載の発明によれば、ライン数を５０以上とすることにより、データ数を確保し、読取情報のデータの平均を安定させることができるため、高周波成分の濃度ムラを低減させることができる。また、データ数を多くしすぎても、読取情報のデータの平均は収束してしまうため、ライン数を１０００以下とすることにより、使用しない部分を減らし、計算時間を短くすることができる。
【００４７】
請求項１１に記載の発明は、前記補正用画像に記録されたライン数の１０％以上を前記読取情報の取得に用いることを特徴とする請求項１０に記載の画像形成方法である。
【００４８】
請求項１１に記載の発明によれば、記録されたライン数の１０％以上を読取情報の取得に用いることによって、補正用画像を小さくすることができ、画像読取装置の小型化が可能となる。
【００４９】
請求項１２に記載の発明は、前記感光材料は、ハロゲン化銀感光材料であることを特徴とする請求項１〜１１のいずれか一項に記載の画像形成方法である。
【００５０】
請求項１２に記載の発明によれば、感光材料としてハロゲン化銀感光材料を用いるので、濃度ムラ低減に効果的である。
【００５１】
請求項１３に記載の発明は、前記感光材料は、反射支持体を有することを特徴とする請求項１〜１２のいずれか一項に記載の画像形成方法である。
【００５２】
請求項１３に記載の発明によれば、感光材料が反射支持体を有するので、濃度ムラ低減に効果的である。
【００５３】
請求項１４に記載の発明は、前記補正用画像の濃度は、前記感光材料の特性曲線の直線部分に設定されていることを特徴とする請求項１〜１３のいずれか一項に記載の画像形成方法である。
【００５４】
図１１に、感光材料の特性曲線を示す。横軸は露光量の対数、縦軸はその露光量に対する画像の濃度を示す。特性曲線の直線部分とは、図１１のｃ部に示すような露光量の対数の変化に対する濃度の変化（グラフの傾き）が一定であるような部分をいう。
【００５５】
請求項１４に記載の発明によれば、高濃度、又は低濃度の部分を使用して補正を行った場合と比較して、階調特性が硬調に変化する部分、すなわち、露光量の変化に対する画像濃度の変化が大きい部分を用いるため、補正の精度を向上させることができる。
【００５６】
請求項１５に記載の発明は、前記補正用画像は、対応する記録素子を決定させるための位置決定用マーカーを有し、前記位置決定用マーカーを用いて前記対応する記録素子を決定することを特徴とする請求項１〜１４のいずれか一項に記載の画像形成方法である。
【００５７】
補正用画像においてプリントヘッドの各記録素子の位置を特定するために、例えば、記録素子の配列方向に数画素おきに記録した部分（マーカー段）が設けられている場合がある。しかし、記録素子の間隔を特定することができても、画像上に記録されたマーカーがどの記録素子に対応するか、すなわち、マーカーの絶対位置を特定することは困難である。
【００５８】
しかし、請求項１５に記載の発明によれば、位置決定用マーカーを用いて対応する記録素子を決定することができるので、取得した読取情報から求める補正量により、各記録素子に対して、正確なフィードバックを行うことが可能となる。
【００５９】
請求項１６に記載の発明は、感光材料に補正用画像を記録可能な複数の記録素子をアレイ状に配列した複数のプリントヘッドと、前記補正用画像の読取情報を取得する画像読取装置と、前記取得された読取情報に基づいて各記録素子の記録特性の補正量を求める補正処理部と、を備える画像形成装置において、前記複数のプリントヘッドに、前記感光材料の同一箇所に対して補正用画像を記録させるよう制御する制御部を備えたことを特徴とする画像形成装置である。
【００６０】
請求項１６に記載の発明によれば、補正用画像から読み取った各基本色の読取情報に他色の濃度ムラの影響が含まれているため、効率よく濃度ムラ、特に低周波成分の濃度ムラを低減させることができる。
【００６１】
また、各基本色が同時にエッジ部を形成するため、誤判定の可能性が低下し、安定したエッジの判定を実現することができる。
【００６２】
さらに、基本色毎に補正用の画像を作成する場合と比較して、補正用画像の小型化が可能となり、補正を行う際に、読み込みを行う範囲を比較的小さくすることができるため、補正計算時間を短縮することができる。また、ロスペーパーを低減させ、生産性を向上させることができる。
【００６３】
請求項１７に記載の発明は、感光材料に補正用画像を記録可能な複数の記録素子をアレイ状に配列した複数のプリントヘッドと、前記補正用画像の読取情報を取得する画像読取装置と、前記取得された読取情報に基づいて各記録素子の記録特性の補正量を求める補正処理部と、を備える画像形成装置において、前記複数のプリントヘッドに、イエロー色素、マゼンタ色素、シアン色素のうち少なくとも２以上の色素が混色した補正用画像を記録させるよう制御する制御部を備えたことを特徴とする画像形成装置である。
【００６４】
請求項１７に記載の発明によれば、補正用画像から読み取った各基本色の読取情報に他色の濃度ムラの影響が含まれているため、効率よく濃度ムラ、特に低周波成分の濃度ムラを低減させることができる。
【００６５】
また、各基本色が同時にエッジ部を形成するため、誤判定の可能性が低下し、安定したエッジの判定を実現することができる。
【００６６】
さらに、基本色毎に補正用の画像を作成する場合と比較して、補正用画像の小型化が可能となり、補正を行う際に、読み込みを行う範囲を比較的小さくすることができるため、補正計算時間を短縮することができる。また、ロスペーパーを低減させ、生産性を向上させることができる。
【００６７】
請求項１８に記載の発明は、感光材料に補正用画像を記録可能な複数の記録素子をアレイ状に配列した複数のプリントヘッドと、前記補正用画像の読取情報を取得する画像読取装置と、前記取得された読取情報に基づいて各記録素子の記録特性の補正量を求める補正処理部と、を備える画像形成装置において、前記複数のプリントヘッドに、Ｒ濃度が０．３以上１．５以下、Ｇ濃度が０．２以上１．５以下又はＢ濃度が０．１５以上１．５以下の範囲になるように補正用画像を記録させるよう制御する制御部を備えたことを特徴とする画像形成装置である。
【００６８】
請求項１８に記載の発明によれば、他色に対して極端に高濃度とならないため、感光材料の発色色素が形成する副吸収の影響を低減させることができる。また、色にごり等の影響を排除することができるため、取得する読取情報がより正確になり、高精度の補正を行うことができる。
【００６９】
請求項１９に記載の発明は、前記補正用画像の読取情報を取得した後、色変換を行い、各記録素子の記録特性の補正量を求めることを特徴とする請求項１６〜１８のいずれか一項に記載の画像形成装置である。
【００７０】
請求項２０に記載の発明は、前記取得された読取情報が積分濃度の場合、前記色変換は、前記積分濃度に基づいて解析濃度を算出することを特徴とする請求項１９に記載の画像形成装置である。
【００７１】
請求項１９、２０に記載の発明によれば、色変換を行うことで、他色の濃度ムラが劣悪な場合においても、他色の濃度ムラの影響を排除することができ、正確で高精度な補正を実現することができる。また、濃度ムラが発生した場合でも、少ない補正回数で濃度ムラのない状態に回復させることが可能となる。
【００７２】
請求項２１に記載の発明は、前記色変換は、１次変換式を用いることを特徴とする請求項１９又は２０に記載の画像形成装置である。
【００７３】
請求項２１に記載の発明によれば、比較的簡単な方法により、他色の濃度ムラの影響を排除することができ、短時間で高精度な補正を実現することができる。
【００７４】
請求項２２に記載の発明は、カラーバランスのセットアップが完了した後に、前記補正用画像を記録することを特徴とする請求項１６〜２１のいずれか一項に記載の画像形成装置である。
【００７５】
請求項２２に記載の発明によれば、各基本色のカラーバランスが合い、極端に他色の影響を受けないため、補正精度がさらに向上する。
【００７６】
請求項２３に記載の発明は、前記補正用画像の読取情報を取得する部分は、前記複数のプリントヘッドで感光材料に記録された像が重なっている状態で構成されていることを特徴とする請求項１６〜２２のいずれか一項に記載の画像形成装置である。
【００７７】
請求項２３に記載の発明によれば、各プリントヘッドが感光材料に記録した像構造の差がもたらす読取情報のバラツキを低減させることができるため、補正の精度が向上する。
【００７８】
請求項２４に記載の発明は、前記補正用画像を、押圧部材を用いて前記画像読取装置に固定することを特徴とする請求項１６〜２３のいずれか一項に記載の画像形成装置である。
【００７９】
請求項２４に記載の発明によれば、画像のエッジの判定を正確に行うことができるようになり、補正の精度が向上する。また、補正用画像の浮きを抑えることにより、低周波成分の濃度ムラを低減させることができる。
【００８０】
請求項２５に記載の発明は、前記補正用画像は、記録されるライン数が５０以上１０００以下の範囲であることを特徴とする請求項１６〜２４のいずれか一項に記載の画像形成装置である。
【００８１】
請求項２５に記載の発明によれば、ライン数を５０以上とすることにより、データ数を確保し、読取情報のデータの平均を安定させることができるため、高周波成分の濃度ムラを低減させることができる。また、データ数を多くしすぎても、読取情報のデータの平均は収束してしまうため、ライン数を１０００以下とすることにより、使用しない部分を減らし、計算時間を短くすることができる。
【００８２】
請求項２６に記載の発明は、前記補正用画像に記録されたライン数の１０％以上を前記読取情報の取得に用いることを特徴とする請求項２５に記載の画像形成装置である。
【００８３】
請求項２６に記載の発明によれば、記録されたライン数の１０％以上を読取情報の取得に用いることによって、補正用画像を小さくすることができ、画像読取装置の小型化が可能となる。
【００８４】
請求項２７に記載の発明は、前記感光材料は、ハロゲン化銀感光材料であることを特徴とする請求項１６〜２６のいずれか一項に記載の画像形成装置である。
【００８５】
請求項２７に記載の発明によれば、感光材料としてハロゲン化銀感光材料を用いるので、濃度ムラ低減に効果的である。
【００８６】
請求項２８に記載の発明は、前記感光材料は、反射支持体を有することを特徴とする請求項１６〜２７のいずれか一項に記載の画像形成装置である。
【００８７】
請求項２８に記載の発明によれば、感光材料が反射支持体を有するので、濃度ムラ低減に効果的である。
【００８８】
請求項２９に記載の発明は、前記補正用画像の濃度は、前記感光材料の特性曲線の直線部分に設定されていることを特徴とする請求項１６〜２８のいずれか一項に記載の画像形成装置である。
【００８９】
請求項２９に記載の発明によれば、高濃度、又は低濃度の部分を使用して補正を行った場合と比較して、階調特性が硬調に変化する部分、すなわち、露光量の変化に対する画像濃度の変化が大きい部分を用いるため、補正の精度を向上させることができる。
【００９０】
請求項３０に記載の発明は、前記補正用画像は、対応する記録素子を決定させるための位置決定用マーカーを有し、前記位置決定用マーカーを用いて前記対応する記録素子を決定することを特徴とする請求項１６〜２９のいずれか一項に記載の画像形成装置である。
【００９１】
請求項３０に記載の発明によれば、位置決定用マーカーを用いて対応する記録素子を決定することができるので、取得した読取情報から求める補正量により、各記録素子に対して、正確なフィードバックを行うことが可能となる。
【００９２】
【発明の実施の形態】
以下、図面を参照して本発明の実施の形態を詳細に説明する。ただし、発明の範囲は、図示例に限定されない。
【００９３】
図１に、実施の形態における画像形成装置１０の概略構成を示す。図１に示すように、画像形成装置１０は、支持ドラム１、赤色プリントヘッド３０ａ、緑色プリントヘッド３０ｂ、青色プリントヘッド３０ｃ、プリントヘッド制御部４０、補正処理部６０、フラットベッドスキャナ７０等を備えて構成されている。
【００９４】
支持ドラム１は、図示しない駆動源によって回転する搬送手段である。図示しないロールから繰り出されるハロゲン化銀感光材料であるカラー写真用印画紙（以下、印画紙という。）２を矢印方向へ搬送する。
【００９５】
赤色プリントヘッド３０ａ、緑色プリントヘッド３０ｂ、青色プリントヘッド３０ｃは、それぞれ複数の記録素子をアレイ状に配列したプリントヘッドである。
ここで、アレイ状とは、図２（ａ）に示すような直線状だけではなく、図２（ｂ）のような千鳥配列や、図２（ｃ）のような配列も含む。また、それぞれにおいて、各記録素子に図示したような番号をふり、記録素子配列方向の隣接素子とは番号のとなりの素子を指す。
【００９６】
赤色プリントヘッド３０ａには、ＬＥＤ（Ｌｉｇｈｔ  Ｅｍｉｔｔｉｎｇ  Ｄｉｏｄｅ）光源が用いられている。また、緑色プリントヘッド３０ｂ及び青色プリントヘッド３０ｃには、比較的高輝度、高速応答でカラーフィルタにより容易に色分解できる真空蛍光プリントヘッド（Ｖａｃｕｕｍ  Ｆｌｕｏｒｅｓｃｅｎｔ  Ｐｒｉｎｔ  Ｈｅａｄ：ＶＦＰＨ）が採用される。
【００９７】
プリントヘッド制御部４０は、ＲＧＢ各色の画像データを、印画紙２の所定位置に記録するように、赤色プリントヘッド３０ａ、緑色プリントヘッド３０ｂ及び青色プリントヘッド３０ｃに対して色毎にタイミングを順次ずらしながら記録制御を行う。
【００９８】
補正処理部６０は、赤色プリントヘッド３０ａ、緑色プリントヘッド３０ｂ及び青色プリントヘッド３０ｃの各記録素子の発光特性の補正を行わせるための補正量を濃度データから算出してプリントヘッド制御部４０に出力する。
【００９９】
フラットベッドスキャナ７０は、光源、ＣＣＤ（Ｃｈａｒｇｅ  Ｃｏｕｐｌｅｄ  Ｄｅｖｉｃｅ）、Ａ／Ｄコンバータ等により構成される画像読取装置である。フラットベッドスキャナ７０は、原稿台に載置された原稿に光源からの光を照射し、その反射光をＣＣＤにより電気信号（アナログ信号）に変換することにより読取情報を取得する。取得した読取情報は、Ａ／Ｄコンバータにより、デジタルデータに変換される。このデジタルデータは、ＲＧＢ３つの色成分毎の濃度を示す測定データ（以下、濃度データという。）として、補正処理部６０へ送られる。
【０１００】
図１に示すように、支持ドラム１により、ロールから繰り出される印画紙２が矢印方向へ搬送されると、赤色プリントヘッド３０ａ、緑色プリントヘッド３０ｂ及び青色プリントヘッド３０ｃがプリントヘッド制御部４０によって画像データに応じて露光制御されて、印画紙２の所定位置に色毎に順次露光され、印画紙２にカラー画像の潜像が形成される。その露光プロセスが終了すると、印画紙２は支持ドラム１によって次の処理工程の現像プロセスへ搬送される。印画紙２はロール状に限らず、カット紙であってもよい。印画紙２の搬送手段はベルトにのせて搬送する等、他の手段であってもよい。
【０１０１】
図３に、１色分のプリントヘッド３０の画像データ書き込み動作を説明する駆動制御回路ブロック図を示す。図３に示すように、プリントヘッド制御部４０は、各色毎に８ビットのデジタル値で階調を表した画像データが入力されると、補正処理部６０により生成される補正量に基づいて、画像データに対して補正処理を行い、個々の記録素子に対する１ライン分のシリアルのデジタル画像データに変換するとともに、画像ビットデータをラッチ回路３２への転送するためのセットパルス信号と、発光時間を制御するためのイネーブル信号を生成して１色分のプリントヘッド３０に出力する。ここで、画像ビットデータとは、画像データのうちの特定ビットのデータをいう。
【０１０２】
プリントヘッド３０において、プリントヘッド制御部４０から１ライン分の画像ビットデータとして、まずＭＳＢ（Ｍｏｓｔ  Ｓｉｇｎｉｆｉｃａｎｔ  Ｂｉｔ：最上位ビット）のデータがシフトレジスタ３１に転送される。セットパルス信号がラッチ回路３２に入力されると、そのセットパルス信号に同期してＭＳＢのデータがラッチ回路３２に１ライン分まとめてラッチされる。そして、階調に応じたイネーブル信号がドライバ回路３３に入力されることにより、イネーブル信号の時間幅の区間に、プリントヘッド３０の各記録素子毎に駆動制御され、ラッチされた画像データに応じた発光が行われる。すなわち、ドライバ回路３３が、記録素子アレイ３４に対して、ラッチされたデータが”１”である素子に選択的に駆動信号を送出し、イネーブル信号の時間幅だけ発光させる。照射光はセルフォックレンズアレイ３５を介して印画紙２に結像し、潜像を形成する。このような処理をＭＳＢからＬＳＢ（Ｌｅａｓｔ  Ｓｉｇｎｉｆｉｃａｎｔ  Ｂｉｔ：最下位ビット）まで順次全ビットに対して行う。ビットの順番はＬＳＢから処理を始めても他の順番でもよく、限定されない。なお、以上１色について説明したが、３色とも同様の制御が行われる。
【０１０３】
なお、緑色プリントヘッド３０ｂ及び青色プリントヘッド３０ｃには、セルフォックレンズアレイ３５の下部に図示しないそれぞれ緑色、青色の色分解フィルタが配置されている。
【０１０４】
次に、プリントヘッド３０の各記録素子の記録特性のバラツキを補正する方法について説明する。この補正は、プリントヘッド３０の個々の記録素子の発光バラツキを低減させ、均一な露光量を得るために行われる。
【０１０５】
まず、補正用画像について説明する。補正用画像が記録された印画紙を以下、チャートという。
【０１０６】
図４（ａ）に示すように、本実施の形態では、補正用画像として、赤色プリントヘッド３０ａ、緑色プリントヘッド３０ｂ、青色プリントヘッド３０ｃが同一箇所に記録を行い、各基本色の色素であるシアン色素、マゼンタ色素、イエロー色素が発色した画像、すなわち、グレイ色の画像を用いる。なお、補正用画像は、異なる基本色間で１ドット毎の発色領域同士が重なっていることとするが、各プリントヘッド３０の記録素子の発色領域の違いにより、全ての領域が重なっていなくてもよい。
【０１０７】
補正用画像は、記録素子の配列方向に少なくとも１記録素子以上の間隔をあけたもの等、記録素子の配列方向にとびとびに記録を行った画像でも良いが、間隔があいていないベタ状の画像であることが好ましい。また、記録素子の配列方向において、できる限り同一の濃度であることが好ましい。したがって、補正用画像は、ほぼ均一なグレイ色のベタ状の画像であることが望ましい。また、一般の画像ではなく、主にプリントヘッド３０の濃度ムラ補正のために使用されるものが好ましい。
【０１０８】
感光材料がロール状ではなく、カット搬送等のシート状である場合には、現像処理液による汚れを防ぐために、補正用画像は、搬送方向においてチャートの中央部に記録されることが好ましく、先頭方向側に画像が記録されていない部分を有することが好ましい。また、フラットベッドスキャナ７０において画像を読み取る際に、先頭部分にはバラツキがあるため、チャートの先頭方向側に画像が記録されていないことが好ましい。
【０１０９】
また、補正用画像は、チャートの複数の場所に、複数の画像データ、すなわち、複数の濃度で感光材料に記録されることが好ましい。また、より低い濃度で記録された部分が先に処理を行われるように現像処理機へ搬送されることが現像性の点から好ましい。
【０１１０】
濃度測定を行う範囲はできる限り広範囲であり、多数の場所であることが好ましい。ただし、補正用画像が大きくなるほど、画像の形成や読み取りに時間を要し、また、ロスペーパーも増加するため、補正処理に十分なサイズ以上の大きさでは、印画紙や時間を余分に要することになる。また、データ数がある値以上になると、結果は収束してしまうため、データを多く取っても無駄になってしまう。
【０１１１】
そこで、記録されるライン数が５０以上１０００以下の範囲であることが好ましく、５０以上２００以下であることがより好ましく、６０以上１００以下の範囲であることがさらに好ましい。ここで、ライン数とは、記録素子の配列方向に対する垂直方向における画素数をいう。また、記録されたライン数の１０％以上９０％以下が補正量を求めるために濃度測定を行われることが好ましく、記録されたライン数の２０％以上８０％以下が補正量を求めるために濃度測定を行われることがより好ましい。
【０１１２】
補正用画像は、フラットベッドスキャナ７０等の画像読取装置や濃度測定装置により測定される濃度範囲が、Ｒ濃度で０．３以上１．５以下が好ましく、０．４以上１．０以下がより好ましく、０．５以上０．７以下が最も好ましい。また、Ｇ濃度で０．２以上１．５以下が好ましく、０．３以上０．８以下がより好ましく、０．４以上０．６以下が最も好ましい。また、Ｂ濃度で０．１５以上１．５以下が好ましく、０．３以上１．０以下がより好ましく、０．４以上０．６以下が最も好ましい。
【０１１３】
チャートの大きさに関しては、例えば、印画紙がカット後に記録される場合には、プリントヘッド３０の記録素子配列方向に対する垂直方向の長さ（ＬＶ）は、プリントヘッド３０の記録素子配列方向の長さ（ＬＨ）に対してあまり長くないことが好ましく、感光材料の搬送性、ロスペーパー低減、現像処理に及ぼす影響等の観点から、ＬＶ／ＬＨが２．０倍以内が好ましく、１．２倍以内がより好ましく、０．９倍以内がさらに好ましい。
【０１１４】
図４（ａ）に示すように、チャートは、各プリントヘッド３０の各記録素子の位置を特定するために使用するマーカー段を有することが好ましい。記録素子配列方向のマーカーの間隔は、細かい方がよい。例えば、マーカーの間隔は１０画素以内であることが好ましく、５画素以内がより好ましく、さらには１画素間隔であることが最も好ましい。１画素間隔とは記録素子の配列方向に、ＯＮ、ＯＦＦ、ＯＮ、ＯＦＦを繰り返していることを意味している。
【０１１５】
また、プリントヘッド３０の取り付け位置に多少の誤差を含むことが懸念されるため、プリントヘッド３０毎に単色のマーカーを有することが好ましい。図４（ｂ）にマーカー段の拡大図を示す。図４（ｂ）に示すように、赤色プリントヘッド３０ａの各記録素子の位置を特定するためのマーカー（シアン）、緑色プリントヘッド３０ｂの各記録素子の位置を特定するためのマーカー（マゼンタ）、青色プリントヘッド３０ｃの各記録素子の位置を特定するためのマーカー（イエロー）が記録されている。
【０１１６】
チャートにおいて、補正用の濃度測定場所が複数箇所に記録されて構成されている場合には、濃度測定場所の近傍にマーカー段を存在させることが好ましい。
また、図４（ａ）のように、ベタ画像とベタ画像の間に存在させることが好ましい。また、図４（ａ）のチャートでは、マーカー段は１か所のみであるが、複数箇所に存在してもよい。複数のマーカー段が存在する場合には、計算を簡易化するため、同一の記録素子番号の記録素子がマーカーを記録することが好ましい。
【０１１７】
また、チャートは、対応する記録素子を決定するための位置決定用マーカーを有することが好ましい。位置決定用マーカーは、通常のマーカーと明確に異なる状態であればどのようなものでもよく、例えば、通常のマーカーと大きく異なる濃度で感光材料に記録されているものでもよい。
【０１１８】
図５（ａ）に、図４（ａ）のＥ部を拡大した模式図を示す。位置決定用マーカーを中心として、記録素子の配列方向に４画素ずつ取った範囲が示されている。
ここでは、図５（ａ）に示すように、位置決定用マーカーの濃度がほぼ０に近い状態で構成された場合を説明する。補正用画像上のマーカー段において、通常のマーカーが１画素おきに構成されているのに対し（ＯＮ、ＯＦＦ、ＯＮ、ＯＦＦ、・・・）、位置決定用マーカーとして、３画素あいた部分が存在している。この画素の絶対位置、つまり、位置決定用マーカーが対応する記録素子番号を特定する。
【０１１９】
図５（ｂ）に、フラットベッドスキャナ７０により取得された図５（ａ）の補正用画像に対応する濃度データを示す。なお、補正用画像は３００ｄｐｉで印画紙に記録されているのに対し、フラットベッドスキャナ７０により６００ｄｐｉで濃度測定が行われている。位置決定用マーカーの部分では、低濃度の部分が連続するため、位置決定用マーカーの位置を特定することができる。マーカーの絶対位置を決定することができるため、前後の画素に対して記録素子番号を決定することができる。したがって、測定した濃度から求める補正量により、各記録素子に対して、正確なフィードバックを行うことができる。
【０１２０】
次に、画像形成装置１０が行う記録素子の補正処理の手順について説明する。図６に示すように、まず、補正用画像が記録されたチャートが出力される（ステップＳ１）。チャートがフラットベッドスキャナ７０にセットされ、補正用画像の濃度測定場所のスキャンが行われ、濃度が測定される（ステップＳ２）。具体的には、濃度測定場所の各位置における各基本色ＲＧＢに対応した濃度データが出力される。各記録素子に対応する補正用画像の濃度を精度よく得るために、フラットベッドスキャナ７０は、プリントヘッド３０が記録を行う解像度よりも高解像度で補正用画像の読み込みを行うことが好ましい。
【０１２１】
チャートが長方形である場合、フラットベッドスキャナ７０にセットする際の傾きに対する許容度の点から、チャートの長い方の辺をフラットベッドスキャナ７０のＣＣＤの配列方向と同一にすることが好ましい。
【０１２２】
次に、スキャンした画像の傾きが判定される（ステップＳ３）。
そして、マーカー段の濃度データの連続する低濃度部分から位置決定用マーカー（３画素あいた部分）の位置が特定され、前後の記録素子番号が決定される。こうして、赤色プリントヘッド３０ａ、緑色プリントヘッド３０ｂ、青色プリントヘッド３０ｃの各記録素子に対応する濃度データが特定される（ステップＳ４）。
【０１２３】
補正量の算出はプリントヘッド３０毎に行われる。プリントヘッド３０の記録素子ｉに対応する濃度データをＤｉとおく。記録素子ｉに対する同一の画像データの濃度データが複数ある場合は、平均をとることとしてもよいし、中央値等の代表値を用いてもよい。
【０１２４】
次に、濃度データＤｉの記録素子の配列方向の平均値Ｄ０が算出される（ステップＳ５）。そして、平均値Ｄ０と、記録素子ｉの濃度データＤｉが比較され（ステップＳ６）、記録素子ｉの補正量Ｃｉ＝Ｄ０／Ｄｉが算出される（ステップＳ７）。
【０１２５】
画像形成装置１０により画像が形成される際には、プリントヘッド制御部４０によって、画像データと、補正処理部６０により算出された補正量Ｃｉと、が乗算され、プリントヘッド３０へ出力される。
【０１２６】
なお、記録素子の補正処理が行われる前に、カラーバランスのセットアップが完了していることが望ましい。各基本色の画像データに対して所望の濃度になるように、各プリントヘッド３０の記録量、若しくは露光量の平均値を調整する等して、各プリントヘッド３０間のカラーバランスを調整しておく。また、ＲＧＢそれぞれで調整できることが好ましい。
【０１２７】
以下、画像形成装置１０を用いて画像出力を行った種々の実験結果を示す。
【０１２８】
（実験例１）
実験例１では、補正の状態が比較的良好な状態で、▲１▼ＲＧＢ単色の補正用画像を用いた場合（図７参照）と、▲２▼混色（グレイ色）の補正用画像を用いた場合（図４参照）で補正を行い、補正後、濃度ムラの比較評価を行った。図７に示すＲＧＢ単色の補正用画像は、赤色プリントヘッド３０ａにより記録されたＲ濃度測定場所（シアン）と、緑色プリントヘッド３０ｂにより記録されたＧ濃度測定場所（マゼンタ）と、青色プリントヘッド３０ｃにより記録されたＢ濃度測定場所（イエロー）を有している。評価用画像として、グレイのグラデーションを含む人物画像を用い、目視評価を行った。以下の実験例においても、濃度ムラの評価には、この評価用画像を用いた。
【０１２９】
図８に、実験例１の評価結果を示す。評価結果は、
◎：濃度ムラは全くなく、極めて良好な画質である。
○：低周波成分の濃度ムラが部分的に確認されるものの、非常に良好な画質である。
△：低周波成分の濃度ムラがわずかに確認されるものの、良好な画質である。
×：濃度ムラが確認され、好ましくない画質である。
××：濃度ムラが明らかに確認され、劣悪な画質である。
の５段階で示す。以下の実験結果においても同様とする。
【０１３０】
図８に示すように、濃度ムラ、特に、低周波成分の濃度ムラの評価において、▲２▼グレイ色の補正用画像では、濃度ムラは全くなく、極めて良好な画質であったが（◎）、▲１▼ＲＧＢ単色の補正用画像では、濃度ムラが確認され、好ましくない画質であった（×）。また、エッジ部の濃度ムラの評価において、▲２▼グレイ色の補正用画像では、濃度ムラは全くなく、極めて良好な画質であったが（◎）、▲１▼ＲＧＢ単色の補正用画像では、濃度ムラが明らかに確認され、劣悪な画質であった（××）。さらに、▲２▼グレイ色の補正用画像を用いた場合には、画像の大きさが小さくてすむので、補正時間は、▲１▼ＲＧＢ単色の補正用画像を用いた場合の７０％程度に低減した。
【０１３１】
実験例１の結果に示されるように、グレイ色の補正用画像を用いることによって、補正用画像から読み取った各基本色の濃度に他色の濃度ムラの影響が含まれているため、効率よく濃度ムラ、特に低周波成分の濃度ムラを低減させることができた。また、ＲＧＢの３色が同時にエッジ部を形成するため、安定したエッジの判定を実現することができた。
【０１３２】
また、ＲＧＢの像が重なっているベタ状の補正用画像を用いることにより、各プリントヘッドが感光材料に記録した像構造の差がもたらす濃度の測定のバラツキを低減させることができ、補正の精度が向上した。
【０１３３】
また、グレイ色の補正用画像は、ＲＧＢ３色別々に補正用の画像を作成する場合と比較して、補正用画像の小型化が可能となり、補正を行う際に、読み込みを行う範囲を比較的小さくすることができるため、補正計算時間を短縮することができた。
【０１３４】
（実験例２）
実験例２では、補正の状態が非常に劣悪な状態で、グレイ色の補正用画像を用い、測定した濃度に対して▲１▼色変換を行った場合と、▲２▼色変換を行わなかった場合で、目視評価において濃度ムラがなくなるまでに必要な補正の回数を求めた。また、比較例として、▲３▼ＲＧＢ単色の補正用画像を用いた場合の実験を行った。
【０１３５】
色変換には、変換前の読取濃度（積分濃度）をＲｏｒｇ，Ｇｏｒｇ，Ｂｏｒｇ、変換後の濃度（解析濃度）をＲ’，Ｇ’，Ｂ’として、下記の変換式（１）を用いた。
Ｒ’＝  ａｒ・（Ｒｏｒｇ）ｂｒ  ＋  ｃｒ・（Ｇｏｒｇ）ｄｒ  ＋  ｅｒ・（Ｂｏｒｇ）ｆｒ  ＋  ｇｒ
Ｇ’＝  ａｇ・（Ｒｏｒｇ）ｂｇ  ＋  ｃｇ・（Ｇｏｒｇ）ｄｇ  ＋  ｅｇ・（Ｂｏｒｇ）ｆｇ  ＋  ｇｇ            （１）
Ｂ’＝  ａｂ・（Ｒｏｒｇ）ｂｂ  ＋  ｃｂ・（Ｇｏｒｇ）ｄｂ  ＋  ｅｂ・（Ｂｏｒｇ）ｆｂ  ＋  ｇｂ
ただし、ａｒ，ｂｒ，・・・，ｇｂは定数である。本実験例２においては、下記の値を用いた。
ａｒ＝１．１０，    ｂｒ＝０．９８，    ｃｒ＝−０．２５，  ｄｒ＝１．０３，  ｅｒ＝０．０２，    ｆｒ＝１．０２，    ｇｒ＝０．０２，ａｇ＝−０．３０，    ｂｇ＝０．９９，    ｃｇ＝１．０２，      ｄｇ＝１．００，  ｅｇ＝−０．２０，    ｆｇ＝１．０１，    ｇｇ＝０．０１，ａｂ＝０．０５，    ｂｂ＝１．００，    ｃｂ＝−０．２５，  ｄｂ＝１．０２，  ｅｂ＝１．０８，    ｆｂ＝０．９９，    ｇｂ＝−０．０２さらに、必要な回数、補正を行った後、実験例１と同様の濃度ムラの評価を行った。
【０１３６】
図９に、実験例２の評価結果を示す。濃度ムラがなくなるまでに必要な補正の回数は、▲１▼色変換を行った場合は３回、▲２▼色変換を行わなかった場合は５回であった。▲３▼ＲＧＢ単色の補正用画像を用いた場合は、補正を９回行っても、それ以上濃度ムラの改善が見られなかったため、実験を打ち切った。
【０１３７】
濃度ムラの評価において、▲１▼色変換を行った場合には、濃度ムラは全くなく、極めて良好な画質（◎）、▲２▼色変換を行わなかった場合には、低周波成分の濃度ムラが部分的に確認されるものの、非常に良好な画質（○）、▲３▼ＲＧＢ単色の補正用画像を用いた場合には、濃度ムラが確認され、好ましくない画質であった（×）。積分濃度から解析濃度を算出すること、すなわち、色変換を行うことにより、効率よく補正を行うことができた。
【０１３８】
実験例２の結果に示されるように、色変換を行うことで、補正の状態が非常に劣悪な状態であっても、他色の濃度ムラの影響を排除することができ、正確で高精度な補正を実現することができた。また、濃度ムラが発生した場合でも、少ない補正回数で濃度ムラのない状態に回復させることが可能となった。
【０１３９】
（実験例３）
実験例３では、下記の変換式（２）を用いて、実験例２と同様の実験を行った。つまり、補正の状態が非常に劣悪な状態で、グレイ色の補正用画像を用い、測定した濃度に対して▲１▼色変換を行った場合と、▲２▼色変換を行わなかった場合で、目視評価において濃度ムラがなくなるまでに必要な補正の回数を求め、濃度ムラの評価を行った。また、比較例として、▲３▼ＲＧＢ単色の補正用画像を用いた場合の実験を行った。
【０１４０】
Ｒｏｒｇ，Ｇｏｒｇ，Ｂｏｒｇは積分濃度、Ｒ’，Ｇ’，Ｂ’は解析濃度、ａｒ，ｃｒ，ｅｒ，ａｇ，ｃｇ，ｅｇ，ａｂ，ｃｂ，ｅｂは定数である。
Ｒ’＝  ａｒ・Ｒｏｒｇ  ＋  ｃｒ・Ｇｏｒｇ  ＋  ｅｒ・Ｂｏｒｇ
Ｇ’＝  ａｇ・Ｒｏｒｇ  ＋  ｃｇ・Ｇｏｒｇ  ＋  ｅｇ・Ｂｏｒｇ            （２）
Ｂ’＝  ａｂ・Ｒｏｒｇ  ＋  ｃｂ・Ｇｏｒｇ  ＋  ｅｂ・Ｂｏｒｇ
本実験例３においては、下記の値を用いた。
ａｒ＝１．０５，    ｃｒ＝−０．３０，  ｅｒ＝０．０５，
ａｇ＝−０．２５，    ｃｇ＝１．００，      ｅｇ＝−０．１５，
ａｂ＝０．０５，    ｃｂ＝−０．３０，  ｅｂ＝１．０５
【０１４１】
実験例３における必要な補正回数及び濃度ムラの評価は、実験例２の結果と同じであったが、上記式（２）の１次変換式を用いて色変換を行った場合には、実験例２の式（１）の変換式を用いて色変換を行った場合と比較して、計算時間が７０％程度に低減した。
【０１４２】
したがって、上記の変換式（２）を用いることによって、比較的簡単な方法により、他色の濃度ムラの影響を排除することができ、短時間で高精度な補正を実現することができた。
【０１４３】
（実験例４）
実験例４では、フラットベッドスキャナ７０により補正用画像を読み取る際の押圧部材の効果を評価した。押圧部材として、帯電性が低く、ほぼ均一の濃度の黒いゴムを用い、補正用画像を読み取る際に黒いゴムでチャートを押さえてセットした。
【０１４４】
押圧部材を用いることにより、画像のエッジの判定を正確に行うことができるようになり、ペーパーの浮き、曲がりが減少するため、低周波成分のムラが低減し、補正の精度が向上した。
【０１４５】
（実験例５）
実験例５では、補正用画像のライン数と、濃度測定に使用するライン数の割合を図１０に示すような条件で変化させて、目視評価において濃度ムラがなくなるまでに必要な補正の回数を求め、高周波成分の濃度ムラに着目して実験例１と同様な評価基準で補正後の濃度ムラの評価を行った。
【０１４６】
図１０に、実験例５の評価結果を示す。濃度測定に使用するライン数の割合が７５％の場合において、ライン数が４０のときよりもライン数が５０のときのほうが、濃度ムラがなくなるまでに必要な補正の回数が少なく、濃度ムラも少なかった。さらに、ライン数が６０のときのほうが、必要な補正回数がより少なく、濃度ムラの評価においても濃度ムラは全くなく、極めて良好な画質であった。
【０１４７】
また、ライン数が１０５０のときよりもライン数が１０００のときのほうが、濃度ムラがなくなるまでに必要な補正の回数が少なく、濃度ムラも少なかった。
さらに、ライン数が２００のときのほうが、必要な補正回数がより少なかった。
さらに、ライン数が１００のときのほうが、必要な補正回数がより少なく、濃度ムラの評価においても濃度ムラは全くなく、極めて良好な画質であった。
【０１４８】
ライン数が５０の場合、濃度測定に使用するライン数の割合が５％のときよりも１０％のときのほうが必要な補正の回数が少なく、濃度ムラも少なかった。さらに、使用率が２０％のときのほうが、必要な補正回数がより少なく、濃度ムラの評価においても濃度ムラは全くなく、極めて良好な画質であった。
【０１４９】
また、ライン数が１０００の場合、濃度測定に使用するライン数の割合が９５％のときよりも９０％のときのほうが必要な補正の回数が少なく、濃度ムラも少なかった。さらに、使用率が８０％のときのほうが、必要な補正回数がより少なく、濃度ムラの評価においても濃度ムラは全くなく、極めて良好な画質であった。
【０１５０】
実験例５の結果に示されるように、補正用画像のライン数を５０以上とし、幅を広くすることにより、データ数を確保し、濃度のデータの平均を安定させることができるため、高周波成分の濃度ムラを低減させることができた。また、ライン数を１０００以下とすることにより、使用しない部分を減らし、計算時間を短くすることができた。
【０１５１】
また、記録されたライン数の１０％以上を濃度測定に用いることによって、補正用画像を小さくすることができた。そのため、計算時間が短縮され、ロスペーパーを低減させることができた。
【０１５２】
（実験例６）
実験例６では、補正用画像の濃度の違いによる濃度ムラの評価を行った。図１１の感光材料の特性曲線に示すように、露光量がある値（Ａ点）以上になるまでは、光が作用してもその効果が濃度増加となって現れない（ａ部）。ある露光量に達すると、露光量が増すにつれて濃度が増加し始める。Ａ点からＢ点までは、特性曲線が下に凸の曲線となる（ｂ部）。Ｂ点からＣ点までは、特性曲線は直線状となり、露光量の対数の変化に対する濃度の変化が一定となる（ｃ部）。露光量がＣ点以上になると、露光量の対数の増加に対する濃度増加が少なくなり、特性曲線が上に凸の曲線となる（ｄ部）。つまり、ｃ部（中間濃度）では、ｂ部（低濃度）やｄ部（高濃度）と比較して、露光量の変化に対する画像濃度の変化が大きい。
【０１５３】
実験例６では、補正用画像の濃度が▲１▼低濃度（ｂ部）の場合、▲２▼中間濃度（ｃ部；直線部）の場合、▲３▼高濃度（ｄ部）の場合、の３種類で比較を行った。
【０１５４】
図１２に、実験例６の評価結果を示す。▲１▼低濃度（ｂ部）の場合、低周波成分の濃度ムラが部分的に確認された（○）。▲２▼中間濃度（ｃ部；直線部）の場合、濃度ムラは全くなく、極めて良好な画質であった（◎）。▲３▼高濃度（ｄ部）の場合、低周波成分の濃度ムラがわずかに確認された（△）。
【０１５５】
したがって、補正用画像の濃度を感光材料の特性曲線の直線部分に設定することにより、階調特性が硬調に変化する部分、すなわち、露光量の変化に対する画像濃度の変化が大きい部分を用いることができるため、補正の精度が向上した。
【０１５６】
（実験例７）
実験例７では、補正用画像の各色成分の濃度（Ｒ濃度、Ｇ濃度、Ｂ濃度）の範囲を変化させて、目視評価において濃度ムラがなくなるまでに必要な補正の回数を求め、補正後の濃度ムラの評価を行った。
【０１５７】
図１３に、実験例７の評価結果を示す。Ｇ濃度を０．４５、Ｂ濃度を０．４５として、Ｒ濃度を変化させた場合、Ｒ濃度が０．２０、０．３０、０．４０、０．５０と高くなるにつれて濃度ムラがなくなるまでに必要な補正の回数はより少なく、濃度ムラの評価においてもより良好な画像になっていった。また、Ｒ濃度が１．６０、１．５０、１．００、０．７０と低くなるにつれて必要な補正回数はより少なく、濃度ムラの評価においてもより良好な画像になっていった。
【０１５８】
また、Ｒ濃度を０．６５、Ｂ濃度を０．４５として、Ｇ濃度を変化させた場合、Ｇ濃度が０．１０、０．２０、０．３０、０．４０と高くなるにつれて濃度ムラがなくなるまでに必要な補正の回数はより少なく、濃度ムラの評価においてもより良好な画像になっていった。また、Ｇ濃度が１．６０、１．５０、０．８０、０．６０と低くなるにつれて必要な補正回数はより少なく、濃度ムラの評価においてもより良好な画像になっていった。
【０１５９】
また、Ｒ濃度を０．６５、Ｇ濃度を０．４５として、Ｂ濃度を変化させた場合、Ｂ濃度が０．１０、０．１５、０．３０、０．４０と高くなるにつれて濃度ムラがなくなるまでに必要な補正の回数はより少なく、濃度ムラの評価においてもより良好な画像になっていった。また、Ｂ濃度が１．６０、１．５０、１．００、０．６０と低くなるにつれて必要な補正回数はより少なく、濃度ムラの評価においてもより良好な画像になっていった。
【０１６０】
実験例７の結果に示されるように、補正用画像のＲ濃度を０．３以上１．５以下、Ｇ濃度を０．２以上１．５以下又はＢ濃度を０．１５以上１．５以下の範囲に設定することにより、他色に対して極端に高濃度とならないため、感光材料の発色色素が形成する副吸収の影響を低減させることができ、また、色にごり等の影響を排除することができるため、測定した濃度がより正確になり、高精度の補正を行うことができることがわかった。
【０１６１】
（実験例８）
実験例８では、各記録素子のバラツキを低減させる補正を行う前に、カラーバランスのセットアップを行った場合と行わなかった場合を比較評価した。
【０１６２】
実験例８の結果、カラーバランスのセットアップを完了した後に補正を行うことにより、ＲＧＢ３色のカラーバランスが合い、極端に他色の影響を受けないため、補正精度がさらに向上することが判明した。
【０１６３】
なお、以上の実施の形態における記述は、本発明に係る好適な画像形成装置の一例であり、これに限定されるものではない。
また、以上の実施の形態における画像形成装置を構成する各部の細部構成及び細部動作に関して本発明の趣旨を逸脱することのない範囲で適宜変更可能である。
【０１６４】
例えば、記録素子をアレイ状に配列したプリントヘッドは、所望の解像度を得るために複数の記録素子を所定間隔で１列または複数列に配列したものであればよい。アレイ状に配列したプリントヘッドの好ましい例として、ＬＥＤ発光素子や真空蛍光管を配列したものの他に、適当なバックライトを用いたＰＬＺＴプリントヘッド、液晶シャッターアレイプリントヘッド等の光シャッターアレイ、半導体レーザーをアレイ状に配列したもの、サーマルヘッド、有機ＥＬ材料等のエレクトロルミネッセンス現象を利用した発光素子等が挙げられる。
【０１６５】
また、画像形成装置としては、ハロゲン化銀感光材料に各種記録素子アレイで記録を行う装置の他、昇華性インクを用いてサーマルヘッドで記録する装置等、複数階調の画像を形成できる装置が好ましい。
【０１６６】
また、上記の実施の形態においては、通常のマーカーと並列して位置決定用マーカーが構成された例を示したが、補正画像上のどこに存在してもよい。また、位置決定用マーカーは、１つのみでもよいが、複数個存在することとしてもよく、プリントヘッド毎に存在することが好ましい。
【０１６７】
また、上記の実施の形態においては、画像から取得する読取情報として、ＲＧＢ各色の濃度データを用いたが、読取情報は濃度に限定されず、反射率、透過率、光吸収率等であってもよいし、これらに対応する関数値であってもよい。
【０１６８】
【発明の効果】
請求項１、２、１６、１７に記載の発明によれば、補正用画像から読み取った各基本色の読取情報に他色の濃度ムラの影響が含まれているため、効率よく濃度ムラ、特に低周波成分の濃度ムラを低減させることができる。
【０１６９】
また、各基本色が同時にエッジ部を形成するため、誤判定の可能性が低下し、安定したエッジの判定を実現することができる。
【０１７０】
さらに、基本色毎に補正用の画像を作成する場合と比較して、補正用画像の小型化が可能となり、補正を行う際に、読み込みを行う範囲を比較的小さくすることができるため、補正計算時間を短縮することができる。また、ロスペーパーを低減させ、生産性を向上させることができる。
【０１７１】
請求項３、１８に記載の発明によれば、他色に対して極端に高濃度とならないため、感光材料の発色色素が形成する副吸収の影響を低減させることができる。また、色にごり等の影響を排除することができるため、取得する読取情報がより正確になり、高精度の補正を行うことができる。
【０１７２】
請求項４、５、１９、２０に記載の発明によれば、色変換を行うことで、他色の濃度ムラが劣悪な場合においても、他色の濃度ムラの影響を排除することができ、正確で高精度な補正を実現することができる。また、濃度ムラが発生した場合でも、少ない補正回数で濃度ムラのない状態に回復させることが可能となる。
【０１７３】
請求項６、２１に記載の発明によれば、比較的簡単な方法により、他色の濃度ムラの影響を排除することができ、短時間で高精度な補正を実現することができる。
【０１７４】
請求項７、２２に記載の発明によれば、各基本色のカラーバランスが合い、極端に他色の影響を受けないため、補正精度がさらに向上する。
【０１７５】
請求項８、２３に記載の発明によれば、各プリントヘッドが感光材料に記録した像構造の差がもたらす読取情報のバラツキを低減させることができるため、補正の精度が向上する。
【０１７６】
請求項９、２４に記載の発明によれば、画像のエッジの判定を正確に行うことができるようになり、補正の精度が向上する。また、補正用画像の浮きを抑えることにより、低周波成分の濃度ムラを低減させることができる。
【０１７７】
請求項１０、２５に記載の発明によれば、ライン数を５０以上とすることにより、データ数を確保し、読取情報のデータの平均を安定させることができるため、高周波成分の濃度ムラを低減させることができる。また、データ数を多くしすぎても、読取情報のデータの平均は収束してしまうため、ライン数を１０００以下とすることにより、使用しない部分を減らし、計算時間を短くすることができる。
【０１７８】
請求項１１、２６に記載の発明によれば、記録されたライン数の１０％以上を読取情報の取得に用いることによって、補正用画像を小さくすることができ、画像読取装置の小型化が可能となる。
【０１７９】
請求項１２、２７に記載の発明によれば、感光材料としてハロゲン化銀感光材料を用いるので、濃度ムラ低減に効果的である。
【０１８０】
請求項１３、２８に記載の発明によれば、感光材料が反射支持体を有するので、濃度ムラ低減に効果的である。
【０１８１】
請求項１４、２９に記載の発明によれば、高濃度、又は低濃度の部分を使用して補正を行った場合と比較して、階調特性が硬調に変化する部分、すなわち、露光量の変化に対する画像濃度の変化が大きい部分を用いるため、補正の精度を向上させることができる。
【０１８２】
請求項１５、３０に記載の発明によれば、位置決定用マーカーを用いて対応する記録素子を決定することができるので、取得した読取情報から求める補正量により、各記録素子に対して、正確なフィードバックを行うことが可能となる。
【図面の簡単な説明】
【図１】本発明の実施の形態における画像形成装置１０の概略構成図である。
【図２】アレイ状プリントヘッドの記録素子の配列を説明するための図である。
【図３】画像形成装置１０のプリントヘッド３０の画像データ書き込み動作を説明する駆動制御回路ブロック図である。
【図４】グレイ色の補正用画像が記録されたチャートの模式図である。
【図５】図４（ａ）のＥ部を拡大した模式図と濃度データを示す図である。
【図６】画像形成装置１０が行う記録素子の補正処理を説明するフローチャートである。
【図７】比較用のＲＧＢ単色の補正用画像が記録されたチャートの模式図である。
【図８】実験例１の評価結果を示す図である。
【図９】実験例２の評価結果を示す図である。
【図１０】実験例５の評価結果を示す図である。
【図１１】感光材料の特性曲線を示す図である。
【図１２】実験例６の評価結果を示す図である。
【図１３】実験例７の評価結果を示す図である。
【図１４】複数のプリントヘッドで感光材料に記録された像が重なっている状態の例を示す図である。
【符号の説明】
１  支持ドラム
２  印画紙
１０  画像形成装置
３０  プリントヘッド
３０ａ  赤色プリントヘッド
３０ｂ  緑色プリントヘッド
３０ｃ  青色プリントヘッド
３１  シフトレジスタ
３２  ラッチ回路
３３  ドライバ回路
３４  記録素子アレイ
３５  セルフォックレンズアレイ
４０  プリントヘッド制御部
６０  補正処理部
７０  フラットベッドスキャナ
【図１】
2004299109.tif 000003
【図２】
2004299109.tif 000004
【図３】
2004299109.tif 000005
【図４】
2004299109.tif 000006
【図５】
2004299109.tif 000007
【図６】
2004299109.tif 000008
【図７】
2004299109.tif 000009
【図８】
2004299109.tif 000010
【図９】
2004299109.tif 000011
【図１０】
2004299109.tif 000012
【図１１】
2004299109.tif 000013
【図１２】
2004299109.tif 000014
【図１３】
2004299109.tif 000015
【図１４】
2004299109.tif 000016